(57)【要約】【課題】  燃焼室が形成された状態でトリガスイッチの操作を有効として点火プラグの放電により混合気を確実に点火燃焼させる。【解決手段】  燃焼室枠１５の外壁に係合片１５Ａを設けると共に係合片１５Ａの移動軌跡に沿って位置した一端４０Ａを有するスイッチレバー４０の他端４０Ｂをトリガスイッチ４４の上方に設け、スイッチレバー４０の他端４０Ｂとトリガスイッチ間の距離を、燃焼室５が形成された状態でトリガレバー１２が操作された時にスイッチレバー４０の他端４０Ｂとトリガスイッチ４４のアクチュエータ４６が接触するように設定した。【選択図】  図１
2006224270.tif 000002
【特許請求の範囲】
【請求項１】
ハウジング内に設けられたシリンダと、シリンダ内に往復移動可能に支持されたピストンと、ピストンに取り付けられ、釘を打撃するドライバブレードと、シリンダに沿って往復移動可能な如くハウジング内に支持された燃焼室枠と、ハウジングの下方に設けられ、被打込材への押圧時に移動可能で燃焼室枠と連結されたプッシュレバーと、燃焼室内の混合気に点火する点火プラグと、オン操作された時に点火プラグを動作させるトリガスイッチとを有し、プッシュレバーを押し上げ燃焼室を形成すると共にトリガスイッチの操作により点火プラグを点火させ燃焼室内で混合気を燃焼させてピストンを駆動し、ドライバブレードにより釘を打ち込む燃焼式釘打機であって、
前記燃焼室枠の外周に設けられた係合部と、一端が係合部の移動軌跡に沿って設けられ、他端がトリガスイッチに対向する如く設けられたスイッチレバーとを備え、スイッチレバーの他端とトリガスイッチとの距離を、燃焼室枠が上死点に位置した状態でトリガスイッチが操作された時に、スイッチレバーの他端とトリガスイッチが接触するように設定したことを特徴とする燃焼式釘打機。
【発明の詳細な説明】
【技術分野】
【０００１】
本発明は燃焼式釘打機に関する。
【背景技術】
【０００２】
燃焼式釘打機の概要を図６を参照して説明する。燃焼式釘打機は、ハウジング１４、ハンドル１１、後述するトリガスイッチを操作するトリガレバー１２、シリンダヘッド２３、燃焼室枠１５、プッシュレバー２１、シリンダ４、ピストン１０、ドライバブレード１６、モータ８、ファン６、ガスボンベ７、点火プラグ９、排気逆止弁３１、マガジン１３、テールカバー１とを主に備えている。シリンダヘッド２３は空気が通過可能な複数の穴を有してハウジング１４の上方に設けられており、ハンドル１１はハウジング１４に固定されトリガレバー１２が付設される。燃焼室枠１５は、ハウジング１４内においてハウジング１４の長手方向に移動可能に設けられ、反シリンダヘッド方向にバネ付勢されるが、バネの付勢力に抗して一端がシリンダヘッド２３に当接可能に設けられる。ハンドル１１の図示しない後端には電池が着脱可能に装着され、電池はモータ８、点火プラグ９等の駆動用電源となる。
【０００３】
プッシュレバー２１は、ハウジング１４の他端において移動可能に設けられ、燃焼室枠１５と連接されている。シリンダ４は燃焼室枠１５に連通可能に位置してハウジング１４に固定され、燃焼室枠１５の移動を案内すると共に排気穴３が形成されている。ピストン１０はシリンダ４に対して往復移動可能に設けられ、燃焼室枠１５の一端がシリンダヘッド２３に当接した時、シリンダヘッド２３、燃焼室枠１５、シリンダ４のシリンダヘッド側端部と共に燃焼室５を形成する。ドライバブレード１６は、ピストン１０の反燃焼室側からハウジング１４の他端部方向に延設されている。モータ８はシリンダヘッド２３に支持され、ファン６はモータ８の回転軸に固定されて燃焼室５内に位置する。ファン６は、燃焼室５内で可燃性ガスと空気を混合して燃焼を促進させると共に燃焼室枠１５がシリンダヘッド２３から離間した時に、外気をハウジング１４内に導入して燃焼室枠１５内を掃気し、またシリンダ４の外周側を冷却する役割を果たす。ガスボンベ７はハウジング１４内に収容され、シリンダヘッド２３のガス通路２２を通じて燃焼室５内に噴射される可燃性ガスを内含する。点火プラグ９は燃焼室５に臨み可燃性ガスと空気との混合気を着火する。排気逆止弁３１は排気穴３を選択的に遮蔽する。
【０００４】
マガジン１３は、ハウジング１４の他端部側に設けられて釘等の止具を収容する。テールカバー１は、マガジン１３内の止具をドライバブレード１６に対向する位置に給送するためにマガジン１３とプッシュレバー２１との間に設けられている。
【０００５】
燃焼室枠１５がシリンダヘッド２３に当接した時に燃焼室５を密閉するために、燃焼室枠１５の上部と密着するシリンダヘッド２３の所定面と、燃焼室枠１５の下部と密着するシリンダ４のシリンダヘッド側端部とには、シール材（シールリング）２９、２８がそれぞれ設けられている。なお３０、２５はそれぞれ初期状態においてシリンダヘッド２３下方及びシリンダ４の上方に形成される空気通路であって、ハウジング１４の上面を覆うヘッドカバー３３から取り入れた空気をシリンダ４内外を通過させて燃焼室５、シリンダ４内の掃気及びこれらを冷却するために設けられている。
【０００６】
プッシュレバー２１を被打込材２４に押し付け、トリガレバー１２をオン操作すると、燃焼室５が形成された状態でハウジング１４に収納されたガスボンベ７内の液化可燃性ガスが燃焼室５内に噴射され、ファン６により空気と可燃性ガスが攪拌混合され、点火プラグ９による点火によって混合気が爆発燃焼され、ピストン１０を駆動してドライバブレード１６を介して被打込材２７に止具が打込まれる。爆発燃焼後、所定時間が経過するまでは、燃焼室枠１５はシリンダヘッド２３に当接した状態が維持され、燃焼ガスの排気後の排気逆止弁３１の閉鎖によって燃焼室５内が密閉されると共に温度低下による燃焼室５内の圧力低下により、燃焼室５側で熱真空が得られ、ピストン上下間の圧力差によりピストン１０を上昇させることができる（例えば特許文献１〜２参照）。
かかる燃焼式釘打機の特徴は、従来の圧縮空気式釘打機のようなコンプレッサとホースを必要とせず操作性が良いことである。
【０００７】
燃焼式釘打機において、プッシュレバー２１を被打込材２７に押し付け燃焼室枠１５を燃焼室５を形成する方向に移動させない限りトリガレバー１２を作動できない構成となっていることは、例えば特許文献３等によって周知のことである。
【０００８】
【特許文献１】特公平１−３４７５３号公報
【特許文献２】特公平４−４８５８９号公報
【特許文献３】特公平７−３６９８５号公報
【発明の開示】
【発明が解決しようとする課題】
【０００９】
しかし、特許文献３の構成においては、燃焼室５が形成されたか否かに関係なくトリガレバー１２を操作できるので、燃焼室５が形成されるより先にトリガレバー１２が操作されると、点火プラグ９が放電してしまうという問題があった。この結果、点火プラグ９の放電が無駄になり、電池及び可燃性ガスが無駄に消費されることとなる。
【００１０】
本発明の目的は、上記した欠点をなくし、燃焼室が形成されなければトリガレバーの操作が有効にならないようにすることである。
【課題を解決するための手段】
【００１１】
上記目的は、燃焼室が形成されるとトリガレバーがオン操作できるようにすることにより達成される。
【発明の効果】
【００１２】
本発明によれば、燃焼室が形成されるとトリガレバーの操作が有効となるので、点火プラグの放電により混合気が確実に点火燃焼されるようになり、打ち込み動作が確実に行われるようになるという作用効果を奏し得るようになる。
【発明を実施するための最良の形態】
【００１３】
本発明釘打機を一実施形態を示す図１〜図５を参照して説明する。なお上記した図６と同じ要素には同じ符号を付し、重複した説明を省略すると共に本発明に直接関係する部分につき以下説明する。
図１は本発明釘打機の一実施形態を示し、図２は操作前の初期状態を示し、図３はプッシュレバー２１が押し上げられ燃焼室５が形成された状態を示し、図４は図３の状態でトリガレバー１２が操作された状態を示す。
【００１４】
燃焼室枠１５の外壁に周方向に延びて設けられた係合片１５Ａの移動軌跡上方に位置する一端４０Ａを有するスイッチレバー４０はハウジング１４に装着された支軸４０Ｃを介してハウジング１４に回転可能に支持され、他端４０Ｂはトリガレバー１２の上方に位置する如く形成されている。スイッチレバー４０はスプリング４２により図中反時計方向に付勢されている。トリガレバー１２の上方には本発明トリガスイッチを構成するスパークスイッチ４４が装着され、スパークスイッチ４４のアクチュエータ４６はスパークスイッチ４４の上面から上方に突出している。スパークスイッチ４４は図示しない接点がオンした時に図示しない駆動回路を介して点火プラグ９を放電させるものである。
【００１５】
スイッチレバー４０の他端４０Ｂとスパークスイッチ４４のアクチュエータ４６間の距離は次のように設定されている。すなわち、図３及び図４に示す如く、プッシュレバー２１が押し上げられ燃焼室５が形成された状態すなわち燃焼室枠１５、係合片１５Ａが上死点に位置した状態で、トリガレバー１２が操作された時にアクチュエータ４６先端がスイッチレバー４０の他端４０Ｂと接触するような距離と設定されている。
【００１６】
従って、燃焼室５が形成されていない状態でトリガレバー１２が操作されたとしてもスパークスイッチ４４がオンすることはないので、点火プラグ９が無駄に放電することは阻止される。
【００１７】
なお上記実施形態ではプッシュレバー２１を押し上げた後にトリガレバー１２を操作するとしたが、トリガレバー１２を操作した後にプッシュレバー２１を被打込材に押し当てて打ち込み動作を開始させても良く、操作順に関係なく打ち込み動作を開始させることが可能となる。
【図面の簡単な説明】
【００１８】
【図１】本発明燃焼式釘打機の一実施形態を示す断面図。
【図２】本発明燃焼式釘打機の初期状態を示す説明用要部断面図。
【図３】図２の状態から燃焼室枠が押し上げられ燃焼室が形成された状態を示す図２相当の要部断面図。
【図４】図３の状態からトリガレバーが操作された状態を示す図２相当の要部断面図。
【図５】図１のＡ−Ａ線断面図。
【図６】一般的な燃焼式釘打機の一例を示す断面図。
【符号の説明】
【００１９】
４はシリンダ、５は燃焼室、６はファン、７はガスボンベ、８はモータ、９は点火プラグ、１０はピストン、１２はトリガレバー、１４はハウジング、１５は燃焼室枠、１５Ａは係合片、２３はシリンダヘッド、４０はスイッチレバー、４２はスプリング、４４はスパークスイッチ、４６はアクチュエータ。
【図１】
2006224270.tif 000003
【図２】
2006224270.tif 000004
【図３】
2006224270.tif 000005
【図４】
2006224270.tif 000006
【図５】
2006224270.tif 000007
【図６】
2006224270.tif 000008